(57)【要約】【課題】検証結果と受信原稿とが別の紙に印刷されるような場合でも、受信原稿の検証結果を把握できるようにする。【解決手段】インターネットファクシミリ装置１００は、電子メールに添付された画像データをファクシミリ原稿として印刷する。インターネットファクシミリ装置１００は、画像データが添付された電子メールを受信する受信部（送受信部１０２）と、電子メールの復号処理または電子署名の検証を行う復号・検証部１０６と、電子メールに添付された画像データに所定の識別情報を記載したファクシミリ原稿を生成するとともに、復号・検証部による検証結果を示す情報と所定の識別情報とを記載したメッセージを生成する復号・検証結果データ生成部１０８と、ファクシミリ原稿およびメッセージを印刷する印刷処理部１１０と、を含む。【選択図】図１
2008035098.tif 000002
【特許請求の範囲】
【請求項１】
電子メールに添付された画像データをファクシミリ原稿として印刷するインターネットファクシミリ装置であって、
画像データが添付された電子メールを受信する受信部と、
前記電子メールの復号処理または電子署名の検証を行う復号・検証部と、
前記電子メールに添付された前記画像データに所定の識別情報を記載したファクシミリ原稿を生成するとともに、前記復号・検証部による検証結果を示す情報と前記所定の識別情報とを記載したメッセージを生成する復号・検証結果データ生成部と、
前記ファクシミリ原稿および前記メッセージを印刷する印刷処理部と、
を含むインターネットファクシミリ装置。
【請求項２】
請求項１に記載のインターネットファクシミリ装置において、
前記復号・検証結果データ生成部は、前記電子メールのヘッダに含まれるメッセージＩＤを前記所定の識別情報として前記画像データおよび前記メッセージに記載するインターネットファクシミリ装置。
【請求項３】
請求項１または２に記載のインターネットファクシミリ装置において、
前記復号・検証結果データ生成部は、前記画像データのヘッダ領域またはフッダ領域に前記識別情報を記載して前記ファクシミリ原稿を生成するインターネットファクシミリ装置。
【請求項４】
請求項１から３いずれかに記載のインターネットファクシミリ装置において、
前記印刷処理部がファクシミリ原稿と前記検証結果を示す情報とを同じ紙に印刷するか、別の紙に印刷するかの設定を記憶する設定記憶部をさらに含み、
前記復号・検証結果データ生成部は、前記設定記憶部において前記印刷処理部がファクシミリ原稿と前記検証結果を示す情報とを別の紙に印刷することが設定されている場合に、前記所定の識別情報を記載した前記ファクシミリ原稿および前記メッセージを生成するインターネットファクシミリ装置。
【請求項５】
請求項４に記載のインターネットファクシミリ装置において、
前記復号・検証結果データ生成部は、前記設定記憶部において前記印刷処理部がファクシミリ原稿と前記検証結果を示す情報とを同じ紙に印刷することが設定されている場合に、前記画像データに前記検証結果を示す情報を記載したファクシミリ原稿を生成し、
前記印刷処理部は、当該ファクシミリ原稿を印刷するインターネットファクシミリ装置。
【発明の詳細な説明】
【技術分野】
【０００１】
本発明は、インターネットファクシミリ装置に関する。
【背景技術】
【０００２】
特許文献１（特開２００２−１３５５１５号公報）には、１ページの画像データ毎に電子メールを用いて送信するインターネットファクシミリ装置が開示されている。このようなインターネットファクシミリ装置において、画像データは添付ファイルとして、電子メールの本文とともに送受信される。
【０００３】
特許文献２（特開２００６−６０３６９号公報）には、電子メールを受信する通信手段と、情報の印刷を行う印刷手段と、通信手段で署名付きの電子メールを受信したとき署名を検証した結果を付加して電子メールの内容を印刷手段に印刷させる制御手段とを有するネットワーク通信装置が開示されている。これにより、署名が付加されたり、暗号化された電子メールについては、そのことをユーザが見てわかるように出力または転送することができる。
【特許文献１】特開２００２−１３５５１５号公報
【特許文献２】特開２００４−７８２９号公報
【発明の開示】
【発明が解決しようとする課題】
【０００４】
しかし、署名の検証結果が印刷されても、検証結果と受信原稿とが別の紙に印刷されるような場合、どの受信原稿の検証結果を示すものなのかがわからなくなってしまうという問題がある。
【０００５】
本発明は上記事情に鑑みてなされたものであり、その目的とするところは、検証結果と受信原稿とが別の紙に印刷されるような場合でも、受信原稿の検証結果が把握できるようにする技術を提供することにある。
【課題を解決するための手段】
【０００６】
本発明によれば、
電子メールに添付された画像データをファクシミリ原稿として印刷するインターネットファクシミリ装置であって、
画像データが添付された電子メールを受信する受信部と、
前記電子メールの復号処理または電子署名の検証を行う復号・検証部と、
前記電子メールに添付された前記画像データに所定の識別情報を記載したファクシミリ原稿を生成するとともに、前記復号・検証部による検証結果を示す情報と前記所定の識別情報とを記載したメッセージを生成する復号・検証結果データ生成部と、
前記ファクシミリ原稿および前記メッセージを印刷する印刷処理部と、
を含むインターネットファクシミリ装置が提供される。
【０００７】
ここで、印刷処理部は、ファクシミリ原稿（受信原稿）とメッセージとを別の紙に印刷することができる。本発明のインターネットファクシミリ装置によれば、検証結果を示す情報をファクシミリ原稿と別紙で印刷する際に、一意に紐付けされる情報が両原稿に付加される。これにより、ファクシミリ原稿の検証結果が把握できるようにすることができる。
【０００８】
ここで、復号・検証部は、まず、電子メールが暗号化されているか否か、または電子メールに電子署名が付されているか否かを判断することができる。復号・検証部は、電子メールが暗号化されている場合に当該電子メールを復号することができる。復号・検証部は、電子メールに電子署名が付されている場合、改ざんの有無を検証することができる。検証結果は、電子メールが暗号化されているか否か、暗号化されている場合には、復号が行えたか否か、電子メールに電子署名が付されているか否か、および電子署名が付されている場合には改ざんの有無等を含むことができる。
【０００９】
本発明のインターネットファクシミリ装置において、前記復号・検証結果データ生成部は、前記電子メールのヘッダに含まれるメッセージＩＤを前記所定の識別情報として前記画像データおよび前記メッセージに記載することができる。
【００１０】
本発明のインターネットファクシミリ装置において、前記復号・検証結果データ生成部は、前記画像データのヘッダ領域またはフッダ領域に前記識別情報を記載して前記ファクシミリ原稿を生成することができる。
【００１１】
本発明のインターネットファクシミリ装置は、前記印刷処理部がファクシミリ原稿と前記検証結果を示す情報とを同じ紙に印刷するか、別の紙に印刷するかの設定を記憶する設定記憶部をさらに含むことができ、前記復号・検証結果データ生成部は、前記設定記憶部において前記印刷処理部がファクシミリ原稿と前記検証結果を示す情報とを別の紙に印刷することが設定されている場合に、前記所定の識別情報を記載した前記ファクシミリ原稿および前記メッセージを生成することができる。
【００１２】
本発明のインターネットファクシミリ装置において、前記復号・検証結果データ生成部は、前記設定記憶部において前記印刷処理部がファクシミリ原稿と前記検証結果を示す情報とを同じ紙に印刷することが設定されている場合に、前記画像データに前記検証結果を示す情報を記載したファクシミリ原稿を生成することができ、前記印刷処理部は、当該ファクシミリ原稿を印刷することができる。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、検証結果と受信原稿とが別の紙に印刷されるような場合でも、受信原稿の検証結果を把握できるようにすることができる。
【発明を実施するための最良の形態】
【００１５】
以下、本発明の実施の形態について、図面を用いて説明する。尚、すべての図面において、同様な構成要素には同様の符号を付し、適宜説明を省略する。
【００１６】
図１は、本実施の形態におけるインターネットファクシミリ装置１００の構成を示すブロック図である。
インターネットファクシミリ装置１００は、電子メールに添付された画像データをファクシミリ原稿として印刷する。ネットワーク２００は、インターネットとすることができ、インターネットファクシミリ装置１００は、ネットワーク２００を介して他の端末との間で、画像データが添付された電子メールを送受信する。本実施の形態において、インターネットファクシミリ装置１００は、電子メールをＳ／ＭＩＭＥ（Secure Multipurpose Internet Mail Extensions）で送受信可能である。
【００１７】
インターネットファクシミリ装置１００の各構成要素は、ハードウェア単位の構成ではなく、機能単位のブロックを示している。インターネットファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。
【００１８】
インターネットファクシミリ装置１００は、送受信部（受信部）１０２、制御部１０４、復号・検証部１０６、復号・検証結果データ生成部１０８、印刷処理部１１０、検証用データ記憶部１１４、および設定記憶部１１６を含む。
【００１９】
送受信部１０２は、インターネット等のネットワーク２００を介して他の端末と電子メールを送受信する。本実施の形態において、送受信部１０２は、画像データが添付された電子メールを送受信する。
【００２０】
制御部１０４は、インターネットファクシミリ装置１００の各機能を制御する。
【００２１】
復号・検証部１０６は、送受信部１０２が受信した電子メールの復号処理または電子署名の検証を行う。まず、復号・検証部１０６は、送受信部１０２が受信した電子メールが暗号化されているか否か、および電子メールに電子署名が付されているか否かを判断する。この判断は、Ｓ／ＭＩＭＥのヘッダに基づき行うことができる。復号・検証部１０６は、電子メールが暗号化されている場合に当該電子メールを復号する。また、復号・検証部１０６は、電子メールに電子署名が付されている場合、改ざんの有無等を検証する。検証用データ記憶部１１４は、復号・検証部１０６が電子署名に基づき改ざんの有無を検証する際に用いる送信者の公開鍵や、復号を行う際に用いる復号鍵等を記憶する。
【００２２】
復号・検証結果データ生成部１０８は、電子メールに添付された画像データに所定の識別情報を記載したファクシミリ原稿を生成するとともに、復号・検証部１０６による検証結果を示す情報と所定の識別情報とを記載したメッセージを生成する。復号・検証結果データ生成部１０８は、電子メールのヘッダに含まれるメッセージＩＤを所定の識別情報として画像データおよびメッセージに記載する。復号・検証結果データ生成部１０８は、画像データのヘッダ領域またはフッダ領域に識別情報を記載してファクシミリ原稿を生成する。
【００２３】
設定記憶部１１６は、印刷処理部１１０がファクシミリ原稿と検証結果を示す情報とを同じ紙に印刷するか、別の紙に印刷するかの設定を記憶する。制御部１０４は、設定記憶部１１６を参照して、設定に従い復号・検証結果データ生成部１０８にファクシミリ原稿を生成する指示を行う。
【００２４】
復号・検証結果データ生成部１０８は、設定記憶部１１６において、印刷処理部１１０がファクシミリ原稿と検証結果を示す情報とを別の紙に印刷することが設定されている場合に、所定の識別情報を記載したファクシミリ原稿およびメッセージを生成する。また、復号・検証結果データ生成部１０８は、設定記憶部１１６において、印刷処理部１１０がファクシミリ原稿と検証結果を示す情報とを同じ紙に印刷することが設定されている場合に、画像データに検証結果を示す情報を記載したファクシミリ原稿を生成する。
【００２５】
印刷処理部１１０は、復号・検証結果データ生成部１０８が生成したファクシミリ原稿を印刷する。また、印刷処理部１１０は、復号・検証結果データ生成部１０８が検証結果を示す情報と所定の識別情報とを記載したメッセージを生成した場合、そのメッセージをファクシミリ原稿とは別の紙に印刷する。
【００２６】
また、設定記憶部１１６には、インターネットファクシミリ装置１００が検証結果を示す情報を印刷するか否かの設定を記憶しておくことができる。制御部１０４は、設定記憶部１１６を参照して、設定に従い復号・検証結果データ生成部１０８にファクシミリ原稿を生成する指示を行う。また、検証結果を示す情報を印刷しない設定とされている場合、復号・検証結果データ生成部１０８は画像データに加工を行うことなく、印刷処理部１１０は、送受信部１０２が受信した画像データをそのままファクシミリ原稿として印刷する。また、設定記憶部１１６は、検証結果がエラーの場合にのみ検証結果を示す情報を印刷するか、検証結果の内容にかかわらず検証結果を示す情報を印刷するか等の設定を記憶することもできる。この場合、制御部１０４は、設定記憶部１１６の設定および復号・検証部１０６による検証結果に基づき、検証結果を印刷するか否かを判断することができる。
【００２７】
図２は、本実施の形態におけるインターネットファクシミリ装置１００の処理手順を示すフローチャートである。
【００２８】
送受信部１０２が電子メールを受信すると（Ｓ１００のＹＥＳ）、制御部１０４は、復号・検証部１０６にその電子メールの復号・署名検証を行わせる（Ｓ１０２）。つづいて、制御部１０４は、設定記憶部１１６を参照して、検証結果を示す情報を印刷する設定となっているか否かを判断する（Ｓ１０４）。検証結果を示す情報を印刷する設定の場合（Ｓ１０４のＹＥＳ）、制御部１０４は、設定記憶部１１６を参照して、印刷処理部１１０がファクシミリ原稿と検証結果を示す情報とを別の紙に印刷するか否かを判断する（Ｓ１０６）。
【００２９】
復号・検証結果データ生成部１０８がファクシミリ原稿と検証結果を示す情報とを別の紙に印刷する場合（Ｓ１０６のＹＥＳ）、復号・検証結果データ生成部１０８は、制御部１０４の指示に基づき、送受信部１０２が受信した画像データに識別情報（ＩＤ）を記載したファクシミリ原稿を生成する（Ｓ１０８）。また、復号・検証結果データ生成部１０８がファクシミリ原稿と検証結果を示す情報とを別の紙に印刷する場合（Ｓ１０６のＹＥＳ）、復号・検証結果データ生成部１０８は、制御部１０４の指示に基づき、検証結果を示す情報と識別情報（ＩＤ）とを含むメッセージを生成する（Ｓ１１０）。ステップＳ１０８の処理とステップＳ１１０の処理とはどちらを先に行ってもよく、略同時に行うこともできる。
【００３０】
つづいて、印刷処理部１１０は、復号・検証結果データ生成部１０８が生成したファクシミリ原稿とメッセージとを別の紙に印刷する（Ｓ１１２）。
【００３１】
一方、ステップＳ１０４において、検証結果を示す情報を印刷しない設定の場合（Ｓ１０４のＮＯ）、制御部１０４は、印刷処理部１１０が送受信部１０２が受信した画像データをそのままファクシミリ原稿として印刷するよう制御する（Ｓ１１４）。
【００３２】
また、ステップＳ１０６において、復号・検証結果データ生成部１０８がファクシミリ原稿と検証結果を示す情報とを同じ紙に印刷する場合（Ｓ１０６のＮＯ）、復号・検証結果データ生成部１０８は、送受信部１０２が受信した画像データに検証結果を示す情報を記載してファクシミリ原稿を生成する（Ｓ１１６）。つづいて、印刷処理部１１０は、復号・検証結果データ生成部１０８が生成したファクシミリ原稿を印刷する（Ｓ１１８）。以上により処理を終了する。
【００３３】
なお、以上の例では、設定記憶部１１６に印刷処理部１１０がファクシミリ原稿と検証結果を示す情報とを同じ紙に印刷するか、別の紙に印刷するかの設定を記憶しておき、制御部１０４がこの設定に従って制御する例を示した。しかし、他の例において、インターネットファクシミリ装置１００において、検証結果を示す情報を印刷する場合、いつも印刷処理部１１０がファクシミリ原稿と検証結果を示す情報とを別の紙に印刷するようにしておくこともできる。
【００３４】
図３は、この場合のインターネットファクシミリ装置１００の処理手順を示すフローチャートである。ここでは、図２に示したステップＳ１０６の判断が省略される。ステップＳ１０４において、検証結果を示す情報を印刷する設定の場合（Ｓ１０４のＹＥＳ）、ステップＳ１０８に進み、復号・検証結果データ生成部１０８は、制御部１０４の指示に基づき、送受信部１０２が受信した画像データに識別情報（ＩＤ）を記載したファクシミリ原稿を生成する。その他の処理は、図２を参照して説明したのと同様とすることができる。
【００３５】
以上のように、本実施の形態におけるインターネットファクシミリ装置１００によれば、検証結果を示す情報をファクシミリ原稿と別紙で印刷する場合であっても、ファクシミリ原稿の検証結果を容易に把握できるようにすることができる。
【００３６】
以上、図面を参照して本発明の実施形態について述べたが、これらは本発明の例示であり、上記以外の様々な構成を採用することもできる。
【００３７】
以上の実施の形態において、識別情報として、電子メールのヘッダに含まれるメッセージＩＤを用いる例を示したが、識別情報は、検証結果を示す情報を含むメッセージとファクシミリ原稿とを一意に紐付けできるものであればどのようなものであってもよい。たとえば、装置固有のＩＤとすることもできる。
【図面の簡単な説明】
【００３８】
【図１】本発明の実施の形態におけるインターネットファクシミリ装置の構成を示すブロック図である。
【図２】本発明の実施の形態におけるインターネットファクシミリ装置の処理手順の一例を示すフローチャートである。
【図３】本発明の実施の形態におけるインターネットファクシミリ装置の処理手順の他の例を示すフローチャートである。
【符号の説明】
【００３９】
１００ インターネットファクシミリ装置
１０２ 送受信部
１０４ 制御部
１０６ 復号・検証部
１０８ 復号・検証結果データ生成部
１１０ 印刷処理部
１１４ 検証用データ記憶部
１１６ 設定記憶部
２００ ネットワーク  
【図１】
2008035098.tif 000003
【図２】
2008035098.tif 000004
【図３】
2008035098.tif 000005